(57)【特許請求の範囲】
【請求項１】
屈曲式カメラであって、
第１の方向から第２の方向へ光路を屈曲させる光路屈曲素子を含み、上記第１の方向における外面についての光路屈曲素子高さＨＰを有する光路屈曲素子部と、
上記光路屈曲素子とイメージセンサとの間に配置され、上記第１の方向における少なくとも１つの、外面についてのレンズ部高さＨＬを有するレンズ部と
上記レンズ部と上記イメージセンサとの間に延在し、上記第１の方向における外面についての後焦点距離部高さＨＢＦＬを有する後焦点距離部と、を備え、
ＨＢＦＬ＜ＨＬであり、
上記光路屈曲素子部の底側の外表面、並びに、上記レンズ部及び上記後焦点距離部の底側の外表面は、同一平面上にあり、
上記レンズ部の上側の外表面、及び上記後焦点距離部の上側の外表面は、同一平面上にない、屈曲式カメラ。
【請求項２】
上記光路屈曲素子部の上側の外表面、及び上記後焦点距離部の上側の外表面が同一平面上にならないように、ＨＢＦＬ＜ＨＰである、請求項１に記載の屈曲式カメラ。
【請求項３】
上記光路屈曲素子部の上側の外表面、及び上記レンズ部の上側の外表面が同一平面上にならないように、ＨＬ＜ＨＰである、請求項１に記載の屈曲式カメラ。
【請求項４】
上記レンズ部は２つのレンズサブセクションを含み、当該２つのレンズサブセクションのうち上記後焦点距離部に近い方のレンズサブセクションは高さＨＬ２を有し、ＨＬ２＜ＨＬである、請求項１に記載の屈曲式カメラ。
【請求項５】
上記後焦点距離部は上面と底面を有し、
上記レンズ部は、上記第２の方向に平行な光軸を有し、
上記後焦点距離部内の上記光軸は、上記底面よりも上記上面に近い、請求項１に記載の屈曲式カメラ。
【請求項６】
上記後焦点距離部は上面と底面を有し、
上記レンズ部、上記後焦点距離部、及び上記イメージセンサは光軸を共有し、
上記後焦点距離部内の上記光軸は上記底面よりも上記上面に近く、上記イメージセンサを、当該イメージセンサが取り付けられる基板に対して非対称に位置決めする、請求項１に記載の屈曲式カメラ。
【請求項７】
上記後焦点距離部上に配置されるフラッシュ素子をさらに備え、
上記フラッシュ素子の高さＨＦＬＡＳＨは、ＨＦＬＡＳＨ≦ＨＰである、請求項１に記載の屈曲式カメラ。
【請求項８】
上記レンズ部は幅ＷＬを有し、ＷＬ＞ＨＬ＞ＨＢＦＬである、請求項１に記載の屈曲式カメラ。
【請求項９】
ＨＢＦＬ≦ＨＬ２、かつ、ＨＢＦＬ＜ＨＬである、請求項４に記載の屈曲式カメラ。
【請求項１０】
上記後焦点距離部に近い方のレンズサブセクション上に配置されるフラッシュ素子をさらに備え、
上記フラッシュ素子の高さＨＦＬＡＳＨは、ＨＦＬＡＳＨ≦ＨＰである、請求項４に記載の屈曲式カメラ。
【請求項１１】
上記後焦点距離部の一部分上および上記後焦点距離部に近い方のレンズサブセクションの一部分上に配置されるフラッシュ素子をさらに備え、
上記フラッシュ素子の高さＨＦＬＡＳＨは、ＨＦＬＡＳＨ≦ＨＰである、請求項４に記載の屈曲式カメラ。
【請求項１２】
上記後焦点距離部は上面と底面を有し、
上記レンズ部、上記後焦点距離部、及び上記イメージセンサは光軸を共有し、
上記後焦点距離部内の上記光軸は上記底面よりも上記上面に近く、上記イメージセンサを、当該イメージセンサが取り付けられる基板に対して非対称に位置決めする、請求項４に記載の屈曲式カメラ。
【請求項１３】
上記上面は、迷光が上記イメージセンサの方向に向けられるのを防止するように構成された内面を有する、請求項６に記載の屈曲式カメラ。
【請求項１４】
上記上面は、迷光が上記イメージセンサの方向に向けられるのを防止するように構成された内面を有する、請求項１２に記載の屈曲式カメラ。
【請求項１５】
上記後焦点距離部は上面と底面を有し、
上記レンズ部、上記後焦点距離部、及び上記イメージセンサは光軸を共有し、
上記後焦点距離部内の上記光軸は上記底面よりも上記上面に近く、上記イメージセンサを、当該イメージセンサが取り付けられる基板に対して非対称に位置決めする、請求項９に記載の屈曲式カメラ。
【請求項１６】
上記上面は、迷光が上記イメージセンサの方向に向けられるのを防止するように構成された内面を有する、請求項１５に記載の屈曲式カメラ。
【請求項１７】
垂直カメラと請求項１〜１６のいずれか１項に記載の屈曲式カメラとを備えたデュアルアパーチャカメラ。
【請求項１８】
上記垂直カメラは、上記第１の方向と平行な垂直カメラ光軸を有する、請求項１７に記載のデュアルアパーチャカメラ。
【請求項１９】
請求項１〜１６のいずれか１項に記載の屈曲式カメラを備えた携帯電子機器。
【請求項２０】
表面上にバンプを有し、
上記バンプは上記屈曲式カメラを含む領域を囲み、
少なくとも１つのバンプの長さは、ＨＢＦＬ＜ＨＰ、かつＨＢＦＬ＜ＨＬである上記光路屈曲素子部、及び上記レンズ部の組み合わせの長さによって規定される、請求項１９に記載の携帯電子機器。
【請求項２１】
請求項１７に記載のデュアルアパーチャカメラを備えた携帯電子機器。
【請求項２２】
表面上にバンプを有し、
上記バンプは上記デュアルアパーチャカメラを含む領域を囲み、
少なくとも１つのバンプの長さは、ＨＢＦＬ＜ＨＰ、かつＨＢＦＬ＜ＨＬである上記光路屈曲素子部、及び上記レンズ部の組み合わせの長さによって規定される、請求項２１に記載の携帯電子機器。
【請求項２３】
表面上にバンプを有し、
上記バンプは上記屈曲式カメラを含む領域を囲み、
少なくとも１つのバンプの長さは、ＨＢＦＬ＜ＨＰ、かつＨＢＦＬ＜ＨＬである上記光路屈曲素子部、及び上記レンズ部の組み合わせの長さによって規定される、請求項２１に記載の携帯電子機器。
【請求項２４】
上記バンプは上記第２の方向に沿って規定された長さＬＢを有し、
上記デュアルアパーチャカメラは上記第２の方向に沿って規定された長さＬＤＣを有し、
ＬＢ＜ＬＤＣである、請求項２２に記載の携帯電子機器。
【請求項２５】
屈曲式カメラの製造方法であって、
第１の方向から第２の方向へ光路を屈曲させる光路屈曲素子を含み、上記第１の方向における外面についての光路屈曲素子高さＨＰを有する光路屈曲素子部を提供し、
上記第１の方向における外面についての後焦点距離部高さＨＢＦＬを有する後焦点距離部を提供し、
上記第１の方向における外面についてのレンズ部高さＨＬを有するレンズ部を提供し、
ＨＢＦＬ＜ＨＬであり、
上記光路屈曲素子部の底側の外表面、並びに、上記レンズ部及び上記後焦点距離部の底側の外表面は、同一平面上にあり、
上記レンズ部の上側の外表面、及び上記後焦点距離部の上側の外表面は、同一平面上にない、屈曲式カメラの製造方法。
【請求項２６】
上記光路屈曲素子部は、上記第１の方向における光路屈曲素子高さＨＰを有し、上記光路屈曲素子部の上側の外表面、及び上記後焦点距離部の上側の外表面が同一平面上にならないように、ＨＢＦＬ＜ＨＰである、請求項２５に記載の屈曲式カメラの製造方法。
【請求項２７】
上記レンズ部は少なくとも２つのレンズサブセクションを含み、当該２つのレンズサブセクションのうち上記後焦点距離部に近い方のレンズサブセクションは高さＨＬ１を有し、ＨＬ１＜ＨＬである、請求項２５に記載の屈曲式カメラの製造方法。
【請求項２８】
ＨＢＦＬ≦ＨＬ１、かつ、ＨＢＦＬ＜ＨＬである、請求項２７に記載の屈曲式カメラの製造方法。
【請求項２９】
上記後焦点距離部は上面と底面を有し、
上記レンズ部は、上記第２の方向に平行な光軸を有し、
上記後焦点距離部内の上記光軸は、上記底面よりも上記上面に近い、請求項２５に記載の屈曲式カメラの製造方法。
【請求項３０】
上記後焦点距離部は上面と底面を有し、
上記レンズ部、上記後焦点距離部、及びイメージセンサは光軸を共有し、
上記後焦点距離部内の上記光軸は上記底面よりも上記上面に近く、上記イメージセンサを、当該イメージセンサが取り付けられる基板に対して非対称に位置決めする、請求項２５に記載の屈曲式カメラの製造方法。
【請求項３１】
上記後焦点距離部の上記上面および上記底面に対してイメージセンサを非対称に配置する、請求項３０に記載の屈曲式カメラの製造方法。
【請求項３２】
スマートフォンのバンプ占有領域を低減する方法であって、
スマートフォンを提供し、
請求項１〜１５のいずれか１項に記載の上記屈曲式カメラを上記スマートフォンの外面に取り付け、
上記屈曲式カメラは、上記スマートフォンの上記バンプ占有領域を低減する方法。
【請求項３３】
上記バンプ占有領域は、長さＬＢ１、幅ＷＢ１、および高さＨＢ１を有し、
ＬＢ１は５〜５０ｍｍの範囲を有し、ＷＢ１は１〜２０ｍｍの範囲を有し、ＨＢ１は０．０５〜３ｍｍの範囲を有する、請求項３２に記載の方法。
【請求項３４】
上記後焦点距離部の高さＨＢＦＬは上記光路屈曲素子部の高さＨＰよりも低く、これにより、より短いバンプ長ＬＢ１が可能になる、請求項３３に記載の方法。
【請求項３５】
上記バンプ占有領域にフラッシュ素子をさらに組み込む、請求項３４に記載の方法。
【発明の詳細な説明】
【技術分野】
【０００１】
本明細書で開示される実施形態は、一般に、デジタルカメラに関し、特に、スマートフォンなどの携帯電子機器に組み込まれる、屈曲式カメラおよびデュアル屈曲式垂直カメラに関する。
【背景技術】
【０００２】
近年、携帯電話（特にスマートフォン）、タブレット、およびラップトップなどの携帯電子機器が広く普及している。これらの装置の多くは、例えば、主後面カメラ（すなわち、ユーザから離れて面し、しばしば何気ない写真の撮影に使用される、装置の背面側のカメラ）と、二次正面カメラ（すなわち、装置の正面側に配置され、しばしばビデオ会議に使用されるカメラ）とを含む、１つまたは２つのコンパクトな「垂直（ｕｐｒｉｇｈｔ）」カメラを備える。携帯電話カメラ(ｍｏｂｉｌｅ  ｐｈｏｎｅ  ｃａｍｅｒａ)、特に携帯電話カメラ(ｃｅｌｌ  ｐｈｏｎｅ  ｃａｍｅｒａ)における重要な性能指数は、カメラの高さ、又は、カメラもしくはカメラレンズの垂直距離である。
【０００３】
こういったカメラの大部分の設計は、本質的に比較的コンパクトであるが、デジタルスチルカメラの従来の設計と同様である。すなわち、上記設計は、イメージセンサの上部に配置されたレンズアセンブリ（またはいくつかの光学素子の列）を備え、このことが「垂直」という用語を説明する。レンズアセンブリ（「レンズモジュール」または単に「レンズ」とも呼ばれる）は、入射光線を屈折させ、入射光線を曲げて、イメージセンサ上に風景の画像データ（または「画像」）を生成する。これらのカメラの寸法は、主として、センサのサイズおよび光学系の高さによって決定される。これらは、通常、レンズの焦点距離（「ｆ」）およびその視野（ＦＯＶ）を通して結び付けられている。すなわち、あるＦＯＶをあるサイズのセンサ上に結像させなければならないレンズは、特定の焦点距離を有する。このようなカメラでは、焦点距離が増えると、典型的には、光学系の高さが高くなる。
【０００４】
近年、コンパクトカメラの高さを低減するために、屈曲式カメラ構造（単に「屈曲式カメラ」とも呼ばれる）が提案されている（例えば、共願である米国特許出願第２０１６００４４２５０号、および、ＰＣＴ／ＩＢ２０１６／０５２１４３号を参照されたい。それらの全体が参照により本明細書に組み込まれる）。屈曲式カメラ（図１Ａ〜図１Ｃ参照）では、光路屈曲素子（以下、「ＯＰＦＥ（Ｏｐｔｉｃａｌ  Ｐａｔｈ  Ｆｏｌｄｉｎｇ  Ｅｌｅｍｅｎｔ）」または「反射素子」と呼ぶ）、例えばプリズムまたはミラーが、モバイル機器の裏面に対して実質的に垂直な方向からモバイル機器の裏面に対して実質的に平行な方向に光の伝播方向を傾斜させるために追加される。簡単のために、反射素子は、以下、「ＯＰＦＥ」とも呼ばれる。図１Ａ〜１Ｃは、１００と番号付けされた周知の屈曲式カメラの様々な図である。直交するＸ-Ｙ-Ｚ座標（「軸」）系が、斜視図である図１Ａおよび図１Ｂについて示されている。これらの座標は、以下のすべての斜視図に適用される。図１Ｃの側面図では、座標のうちの２つが別々に示されている。これらの座標は、以下のすべての側面図にも当てはまる。図示の座標系は例示的なものである。
【０００５】
明確にするために、「実質的に」というタームは、本明細書では許容可能な範囲内の値の変動の可能性を示すために使用される。一例によれば、本明細書で使用される「実質的に」という用語は、任意の指定された値を最大で１０％上回る、または下回る変動がありうることを意味すると解釈されるべきである。別の例によれば、本明細書で使用される「実質的に」という用語は、任意の指定された値を最大で５％上回る、または下回る変動がありうることを意味すると解釈されるべきである。さらなる例によれば、本明細書で使用される「実質的に」という用語は、任意の指定された値を最大で２．５％上回る、または下回る変動がありうることを意味すると解釈されるべきである。
【０００６】
カメラ１００は、長さＬＰ及び高さＨＰを有するＯＰＦＥ部と、長さＬＬを有するレンズ部１０４と、長さＬＢＦＬを有する後方焦点距離（ＢＦＬ）部１０６と、を含む。いくつかの実施形態では、いくつかの部分に対する仕切り（パーティション）は各部品が別々に製造され、すべての部分が一緒に接着されるようになっている。いくつかの実施形態では、いくつかの部品に対する仕切りは概略的なものに過ぎず、すなわち、すべての部品は製造プロセスにおいて一体的に作製される。３つの部分は、屈曲式カメラの「カメラ高さ」におおよそ対応する、実質的に共通の高さＨＦＬ（１０％以内の差異）を有する。ＨＦＬは３つの部分の外面間の軸Ｙに沿った距離（Ｙは、物体からカメラまでの方向であるか、または以下で説明される第１の方向１１０に平行な方向である）として定義される。また、３つの部分の高さが正確に等しくない例では、最大の高さを有する部分の外面間の軸Ｙに沿った距離として定義される。いくつかの例では、ＨＦＬの値域は３〜８ミリメートルである。いくつかの例では、ＨＦＬの値域は５〜６ミリメートルである。ＯＰＦＥ部１０２は、光路を第１の方向（光軸）１１０から第２の方向（光軸）１１２に屈曲させるＯＰＦＥ１０８を含む。レンズ部１０４は、第２の方向１１２に平行な共通の光軸を有する１つ以上のレンズエレメントを有するレンズアセンブリ１１４を含む。ＢＦＬ部１０６は、イメージセンサ（または単に「センサ」）１１６を含む。ＢＦＬは、センサに面するレンズエレメントの（センサに向かう）放射面とセンサ自体との間の距離に等しい。屈曲式カメラは、長さＬＦＬおよび幅ＷＦＬを有する。
【０００７】
屈曲式カメラは、本明細書では「デュアル屈曲式垂直カメラ」または単に「デュアルカメラ」とも呼ばれるデュアルカメラ構造に通常の「垂直」カメラを含めて、幾つかの異なる方法により組み立てることができる。例えば、共願である国際特許出願ＰＣＴ／ＩＢ２０１５／０５６００４号を参照されたい。国際特許出願ＰＣＴ／ＩＢ２０１５／０５６００４号は、参照によりその全体が本明細書に組み込まれる。デュアル屈曲式垂直カメラの一例を図２Ａ〜２Ｃに示す。これらの図は、２００と番号付けされた屈曲式デュアルカメラを様々な図で示している。屈曲式デュアルカメラ２００は、カメラ１００と同様の屈曲式カメラ２０２と、高さＨＵおよび第１の方向１１０に平行な光軸１１０’を有する垂直カメラ２０４とを含む。光軸１１０’と第１の方向１１０との間の距離は、屈曲式デュアルカメラ２００のベースラインとして定義される。図示された特定の実施形態では、２つのカメラがＺ軸に沿って位置する。デュアルカメラは長さＬＤＣおよび幅ＷＤＣを有する。幅ＷＤＣは、屈曲式カメラおよび垂直カメラの幅のうちの大きい方によって決定することができる。この例では屈曲式カメラおよび垂直カメラがＺ軸に沿って整列して示されているが、例えば、共願であるＰＣＴ特許出願ＰＣＴ／ＩＢ２０１５／０５６００４号（その全体が参照により本明細書に組み込まれる）に示されているような他の構成も知られており、適用が可能であることに留意されたい。
【０００８】
２つの垂直カメラを有するデュアルカメラ（本明細書では「デュアル垂直・垂直カメラ（ｄｕａｌ  ｕｐｒｉｇｈｔ−ｕｐｒｉｇｈｔ  ｃａｍｅｒａｓ）」とも呼ばれる）が知られている。スマートフォンのような携帯電子機器へのデュアル垂直・垂直カメラの組み込みも知られており、デュアル垂直・垂直カメラ搭載スマートフォンが商業的に販売されている。図３Ａは、３００と番号付けされた、スマートフォン３０２に含まれる周知のデュアル垂直・垂直カメラの背面図を示す。コンパクトカメラにおいては、垂直カメラのレンズがカメラの表面から突出することで、レンズのみがより高くなり、カメラの他の部分がより低くなるトレンドがある。これは、しばしば「バンプ」と呼ばれ、図３Ａでは３０４で番号付けされている。スマートフォンおよび他の携帯電子機器の表面上のバンプの存在は望ましいものではない。
【０００９】
カメラにおける光フラッシュ（例えば、ＬＥＤ（ｌｉｇｈｔ  Ｅｍｉｔｔｉｎｇ  Ｄｉｏｄｅ）フラッシュ）素子（又は単に「フラッシュ素子」）の使用が知られている。垂直デュアルカメラの「バンプ」の内側にフラッシュ素子を配置することは知られている。図３Ｂは、「バンプ」３１４にフラッシュ素子３１８を有する、スマートフォン３１２に含まれる周知のデュアル垂直・垂直カメラ３１０の背面図である。バンプ内にフラッシュ素子を有する屈曲式カメラを有することが望ましい。従来技術の欠点を改善する屈曲式カメラおよびデュアル屈曲式垂直カメラを提供することが望ましい。バンプ占有領域が低減された屈曲式カメラおよびデュアル屈曲式垂直カメラを提供することが望ましい。
【発明の概要】
【００１０】
本明細書に開示される実施形態は、携帯電子機器、特にスマートフォンにおけるバンプ占有領域および高さを低減する、屈曲式カメラおよびデュアル屈曲式垂直カメラを教示する。いくつかの例では、バンプ占有領域は、屈曲式カメラの後焦点面部の高さを低減することによって低減される。いくつかの例では、バンプ占有領域は、屈曲式カメラの、後焦点面部およびレンズ部分の高さを低減することによって低減される。
【００１１】
上述のように、バンプの表面積を低減および／または除去することが望ましい。バンプは、カメラの高さを越えて延びないことが望ましい。
【００１２】
いくつかの実施形態では、屈曲式カメラであって、第１の方向から第２の方向へ光路を屈曲させる光路屈曲素子を含み、上記第１の方向において光路屈曲素子高さＨＰを有する光路屈曲素子部と、上記光路屈曲素子とイメージセンサとの間に配置され、上記第１の方向において少なくとも１つのレンズ部高さＨＬを有するレンズ部と上記レンズ部と上記イメージセンサとの間に延在し、上記第１の方向において後焦点距離部高さＨＢＦＬを有する後焦点距離部と、を備え、ＨＢＦＬ＜ＨＰである、屈曲式カメラが提供される。
【００１３】
上記および下記のいくつかの実施形態では、上記レンズ部は２つのレンズサブセクションを含み、当該２つのレンズサブセクションのうち上記後焦点距離部に近い方のレンズサブセクションは高さＨＬ１を有し、ＨＬ１＜ＨＬである。
【００１４】
上記および下記のいくつかの実施形態では、ＨＢＦＬ＜ＨＬである。
【００１５】
上記および下記のいくつかの実施形態では、ＨＢＦＬ≦ＨＬ１、かつ、ＨＢＦＬ＜ＨＬである。
【００１６】
上記および下記のいくつかの実施形態では、上記レンズ部は幅ＷＬを有し、ＷＬ＞ＨＬ＞ＨＢＦＬである。
【００１７】
上記および下記のいくつかの実施形態では、上記後焦点距離部は上面と底面を有し、上記レンズ部は、上記第２の方向に平行な光軸を有し、上記後焦点距離部内の上記光軸は、上記底面よりも上記上面に近い。
【００１８】
上記および下記のいくつかの実施形態では、上記イメージセンサは、当該イメージセンサが取り付けられる基板に対して非対称に位置決めされる。
【００１９】
上記および下記のいくつかの実施形態では、上記上面は、迷光が上記イメージセンサの方向に向けられるのを防止するように構成された内面を有する。
【００２０】
上記および下記のいくつかの実施形態では、上記後焦点距離部は上面と底面を有し、上記レンズ部、上記後焦点距離部、及び上記イメージセンサは光軸を共有し、上記後焦点距離部内の上記光軸は上記底面よりも上記上面に近く、上記イメージセンサを、当該イメージセンサが取り付けられる基板に対して非対称に位置決めする。
【００２１】
上記および下記のいくつかの実施形態では、上記上面は、迷光が上記イメージセンサの方向に向けられるのを防止するように構成された内面を有する。
【００２２】
上記および下記のいくつかの実施形態では、上記後焦点距離部上に配置されるフラッシュ素子をさらに備え、上記フラッシュ素子の高さＨＦＬＡＳＨは、ＨＦＬＡＳＨ≦ＨＬである。
【００２３】
上記および下記のいくつかの実施形態では、上記後焦点距離部に近い方のレンズサブセクション上に配置されるフラッシュ素子をさらに備え、上記フラッシュ素子の高さＨＦＬＡＳＨは、ＨＦＬＡＳＨ≦ＨＬである。
【００２４】
上記および下記のいくつかの実施形態では、上記後焦点距離部の一部分上および上記後焦点距離部に近い方のレンズサブセクションの一部分上に配置されるフラッシュ素子をさらに備え、上記フラッシュ素子の高さＨＦＬＡＳＨは、ＨＦＬＡＳＨ≦ＨＬである。
【００２５】
上記および下記のいくつかの実施形態では、垂直カメラと、上記および下記の屈曲式カメラとを備えたデュアルアパーチャカメラが提供される。
【００２６】
上記および下記のいくつかの実施形態では、デュアルアパーチャカメラは、第２の方向において一つの光軸を共有する、屈曲式カメラおよび垂直カメラを備える。
【００２７】
いくつかの実施形態では、携帯電子機器は、上記および下記の屈曲式カメラを備える。
【００２８】
上記および下記のいくつかの実施形態では、携帯電子機器は、表面上にバンプを有し、上記バンプは上記屈曲式カメラを含む領域を囲み、少なくとも１つのバンプ寸法は、屈曲式カメラ寸法によって規定される。
【００２９】
いくつかの実施形態では、携帯電子機器は、上記および下記のデュアルアパーチャカメラを備える。
【００３０】
上記および下記のいくつかの実施形態では、上記および下記の、屈曲式カメラ及び／又はデュアルカメラを備えた携帯電子機器が提供される。いくつかの実施形態では、当該携帯電子機器はスマートフォンである。上記携帯電子機器は、表面上にバンプを有し、上記バンプは上記屈曲式カメラ及び／又は（デュアルカメラのための）垂直カメラを含む領域を囲み、少なくとも１つのバンプ寸法は、屈曲式カメラ寸法及び／又はデュアルカメラ寸法によって規定される。
【００３１】
いくつかの実施形態は、屈曲式カメラの製造方法を含む。当該製造方法は、（ａ）第１の方向から第２の方向へ光路を屈曲させる光路屈曲素子を提供し、光路屈曲素子部は上記第１の方向において光路屈曲素子高さＨＰを有し、（ｂ）上記第１の方向において後焦点距離部高さＨＢＦＬを有する後焦点距離部を提供し、当該後焦点距離部はイメージセンサを含み、（ｃ）少なくとも１つのレンズを有するレンズ部を提供し、当該レンズ部は上記第１の方向においてレンズ部高さＨＬを有し、（ｄ）上記第１光軸に沿って上記第１光軸上記後焦点距離部と上記光路屈曲素子部との間に上記レンズ部を設け、ＨＢＦＬ＜ＨＬである。
【００３２】
上記および下記のいくつかの実施形態では、上記光路屈曲素子部は、上記第１の方向において光路屈曲素子高さＨＰを有し、ＨＢＦＬ＜ＨＰである。
【００３３】
上記および下記のいくつかの実施形態では、上記レンズ部は、少なくとも２つのレンズサブセクションを含む。
【００３４】
上記および下記のいくつかの実施形態では、上記少なくとも２つのレンズサブセクションのうち上記後焦点距離部に近い方のレンズサブセクションは高さＨＬ１を有し、ＨＬ１＜ＨＬである。
【００３５】
上記および下記のいくつかの実施形態では、ＨＢＦＬ≦ＨＬ１、かつ、ＨＢＦＬ＜ＨＬである。
【００３６】
上記および下記のいくつかの実施形態では、上記後焦点距離部は上面と底面を有し、上記レンズ部は、上記第２の方向に平行な光軸を有し、上記後焦点距離部内の上記光軸は、上記底面よりも上記上面に近い。
【００３７】
上記および下記のいくつかの実施形態では、上記後焦点距離部は上面と底面を有し、上記レンズ部、上記後焦点距離部、及び上記イメージセンサは光軸を共有し、上記後焦点距離部内の上記光軸は上記底面よりも上記上面に近く、上記イメージセンサを、当該イメージセンサが取り付けられる基板に対して非対称に位置決めする。
【００３８】
上記および下記のいくつかの実施形態では、上記方法は、上記後焦点距離部の上記上面および上記底面に対してイメージセンサを非対称に配置する。
【００３９】
いくつかの実施形態は、スマートフォンのバンプ占有領域を低減する方法を含む。当該方法は、スマートフォンを提供し、上記実施形態のいずれかの上記屈曲式カメラを上記スマートフォンの外面に取り付け、上記屈曲式カメラは、上記スマートフォンの上記バンプ占有領域を低減する。
【００４０】
上記および下記のいくつかの実施形態では、上記バンプ占有領域は、長さＬＢ１、幅ＷＢ１、および高さＨＢ１を有し、ＬＢ１は５〜５０ｍｍの範囲を有し、ＷＢ１は１〜２０ｍｍの範囲を有し、ＨＢ１は０．０５〜３ｍｍの範囲を有する。
【００４１】
上記および下記のいくつかの実施形態では、上記レンズ部及び／又は上記光路屈曲素子部の高さに対する上記後焦点距離部の低い方の高さにより、より短いバンプ長ＬＢ１が可能になる。
【００４２】
上記および下記のいくつかの実施形態では、上記バンプ占有領域にフラッシュ素子をさらに組み込む方法を提供する。
【００４３】
上述したように、実施形態の様々な組合せは互いに併合可能であり、かつ本開示の範囲の一部であることが企図されるため、実施形態のそれぞれを互いに組み合わせて使用することができる。
【００４４】
本明細書で使用されるように、用語「例えば」、「例示的に」、「のような」、「など」、およびその変形は、本明細書で開示される主題の非限定的な実施形態を説明する。
【図面の簡単な説明】
【００４５】
本明細書に開示される実施形態の非限定的な例は、この段落の後に列挙される、本明細書に添付される図面を参照して、以下に記載される。複数の図に現れる同一の構造、素子、または部品は、それらが現れる図において同じ数字でラベル付けされてもよい。図面および説明は本明細書に開示された実施形態を明確にし、明確にすることを意図しており、決して限定するものと考えるべきではない。
【図１Ａ】周知の屈曲式カメラの斜視図である。
【図１Ｂ】図１Ａの屈曲式カメラの縦断面図である。
【図１Ｃ】図１Ａの屈曲式カメラの側面図である。
【図２Ａ】周知の垂直屈曲式カメラの斜視図である。
【図２Ｂ】図２Ａのデュアル垂直屈曲式カメラの縦断面図である。
【図２Ｃ】図２Ａのデュアル垂直屈曲式カメラの側面図である。
【図３Ａ】スマートフォンに含まれる周知のデュアル垂直・垂直カメラの背面図である。
【図３Ｂ】スマートフォンに含まれるフラッシュ付きの周知の垂直・垂直カメラの背面図である。
【図４Ａ】本明細書に開示される例示的な実施形態による、スマートフォンに含まれる図１Ａ〜１Ｃのデュアル屈曲式垂直カメラの斜視図である。
【図４Ｂ】図４Ａのデュアルカメラおよびスマートフォンの、拡大された詳細な断面を示す。
【図５Ａ】本明細書に開示される別の例示的な実施形態による屈曲式カメラを斜視図である。
【図５Ｂ】図５Ａの屈曲式カメラの縦断面図である。
【図５Ｃ】図５Ａの屈曲式カメラの側面図である。
【図６Ａ】本明細書に開示される別の例示的な実施形態によるデュアル屈曲式垂直カメラの斜視図である。
【図６Ｂ】図６Ａのデュアル屈曲式垂直カメラの縦断面図である。
【図６Ｃ】図６Ａのデュアル屈曲式垂直カメラの側面図である。
【図７Ａ】本明細書に開示される例示的な実施形態による、スマートフォンに含まれる図６Ａ〜図６Ｃのデュアル屈曲式垂直カメラの斜視図である。
【図７Ｂ】図７Ａのデュアル屈曲式垂直カメラおよびスマートフォンの、拡大された詳細な断面を示す。
【図８Ａ】図４Ａ、４Ｂの屈曲式カメラの基板に取り付けられた屈曲式カメラ・イメージ・センサを示す。
【図８Ｂ】図６Ａ、６Ｂの屈曲式カメラの基板に取り付けられた周知の屈曲式カメラ・イメージ・センサを示す。
【図９Ａ】本明細書に開示される別の例示的な実施形態による屈曲式カメラの斜視図である。
【図９Ｂ】図９Ａの屈曲式カメラの縦断面図である。
【図９Ｃ】図９Ａの屈曲式カメラの側面図である。
【図１０Ａ】本明細書に開示される別の例示的な実施形態によるデュアル屈曲式垂直カメラの斜視図である。
【図１０Ｂ】図１０Ａのデュアル屈曲式垂直カメラの縦断面図である。
【図１０Ｃ】図１０Ａのデュアル屈曲式垂直カメラの側面図である。
【図１１Ａ】本明細書に開示された例示的実施形態による、スマートフォンに含まれる図１０Ａ〜１０Ｃのデュアル屈曲式垂直カメラの斜視図である。
【図１１Ｂ】図１１Ａのデュアル屈曲式垂直カメラおよびスマートフォンの、拡大された詳細な断面を示す。
【図１２Ａ】本明細書に開示される例示的な実施形態による、フラッシュ素子を有する屈曲式カメラの斜視図である。
【図１２Ｂ】図１２Ａの屈曲式カメラの縦断面図である。
【図１３Ａ】本明細書に開示される例示的な実施形態による、図１２の屈曲式カメラを有するデュアル屈曲式垂直カメラの斜視図である。
【図１３Ｂ】本明細書に開示される別の例示的な実施形態による、図１２の屈曲式カメラを有するデュアル屈曲式垂直カメラの斜視図である。
【図１４Ａ】本明細書に開示される例示的な実施形態による、フラッシュ素子を有する、図９の屈曲式カメラの斜視図である。
【図１４Ｂ】本明細書に開示される別の例示的な実施形態による、フラッシュ素子を有する、図９の屈曲式カメラの斜視図である。
【図１４Ｃ】本明細書に開示されるさらに別の例示的な実施形態による、フラッシュ素子を有する、図９の屈曲式カメラの斜視図である。
【図１５Ａ】本明細書に開示される例示的な実施形態による、図１４の屈曲式カメラを有するデュアル屈曲式垂直カメラの斜視図である。
【図１５Ｂ】図１５Ａのデュアル屈曲式垂直カメラの側面図である。
【発明を実施するための形態】
【００４６】
本明細書に記載の屈曲式カメラは、光路屈曲素子（ＯＰＦＥ）、レンズ、およびイメージセンサを備える。屈曲式カメラは、フォーカシング機構、光学像安定化（ＯＩＳ）機構、ズーム機構、機械的シールド、赤外線（ＩＲ）フィルタ、フォーカシングを動作させる電子機器、ジャイロスコープ、シャッタ、および／または他の部品を含む、動作に必要な他の部品をさらに含んでよい。屈曲式カメラは、ＯＰＦＥと撮影される物体との間に追加の光学素子をさらに含んでよい。本明細書に記載の屈曲式カメラのレンズは、一定の焦点距離を有することができ、または様々な焦点距離（「ズームレンズ」としても知られる）を有することができる。
【００４７】
屈曲式カメラの高さは、一般に、同様の有効焦点距離（ＥＦＬ）を有する垂直カメラの高さよりも低い。屈曲式カメラの高さが低いのは、レンズの焦点距離に相関するレンズの高さに屈曲式カメラの高さが影響されない、という事実から生じる。垂直カメラでは、垂直カメラの高さはレンズ高さに依存する。したがって、カメラモジュールの高さを犠牲にすることなく、レンズ焦点距離を大きくできる。しかしながら、屈曲式カメラの高さは、レンズアセンブリの高さと、カメラの他の部分、例えばアクチュエータ（例えば、焦点及び／又は光学像安定化のためにレンズをシフトするために使用されるアクチュエータ）の高さと、シールドの高さとによって決定され、光学性能を犠牲にすることなく、ある最小値を超えて低減することはできない。一般に、本開示の主題による屈曲式カメラの高さは、３〜８ｍｍの範囲とすることができる。
【００４８】
１つ（または複数）の屈曲式カメラおよび／または１つ（または複数）の垂直カメラを有するスマートフォンおよび他の携帯電子機器は、可能な限り小さいバンプ占有領域（幅および長さ）を有することが望ましい。独立して、そのようなスマートフォンおよび／または携帯電子機器において、可能な限り小さいバンプ高さを有することが望ましい。
【００４９】
図４Ａは、本明細書で開示される例示的な実施形態による、カメラ２００と同様のデュアルデュアル屈曲式垂直カメラを含むスマートフォン４００の斜視図である。図４Ｂは、断面Ａ-Ａにおける、デュアルカメラおよびスマートフォンの拡大詳細図を示す。デュアルカメラ部を全体的に取り囲むバンプ４０４は、スマートフォン４０２の表面上に突出する。バンプは、長さＬＢ１、幅ＷＢ１、および高さＨＢ１を有する。いくつかの例では、ＬＢ１は５〜５０ｍｍの範囲を有し、ＷＢ１は１〜２０ｍｍの範囲を有し、ＨＢ１は０．０５〜３ｍｍの範囲を有する。バンプのエッジは鋭いものとして示されているが、図３のバンプのように丸みを帯びていることが好ましい。屈曲式カメラおよび垂直カメラを（単一の軸に沿って）一列に配置することによって、例えば、屈曲式カメラおよび垂直カメラを、それぞれのカメラが同じ単一の軸を共有しない位置に配置するよりも、より小さいバンプ占有領域とすることができる。バンプの領域を除いて、電話機は、外面間の厚さ（高さ）ＨＰｈｏｎｅを有することに留意されたい。バンプの領域において、電話機の厚さはより大きく、ＨＰＢとマークされている。
【００５０】
本願発明者らは、デュアル屈曲式垂直カメラを収容するバンプの寸法が、屈曲式カメラの思慮深い設計によってさらに縮小されうることを見出した。
【００５１】
図５Ａ〜図５Ｃは、本明細書に開示される例示的な実施形態による、５００と番号付けられた屈曲式カメラ構造の様々な図である。カメラ１００と同様に、カメラ５００は、長さＬＰおよび幅ＷＰを有するＯＰＦＥ部５０２と、長さＬＬおよび幅ＷＬを有するレンズ部５０４と、長さＬＢＦＬおよび幅ＷＢＦＬを有する後焦点距離（ＢＦＬ）部５０６とを含む。カメラ５００は、カメラ１００と同様の高さＨＦＬ、長さＬＦＬ、及び幅ＷＦＬを有してよい。ＬＦＬは、ＬＰ＋ＬＬ＋ＬＢＦＬの合計によって規定される。ＬＰは、基本的には、反射素子（例えばプリズム）の高さによって規定されうる。本開示の主題によるいくつかの例では、ＨＦＬは３〜８ｍｍの範囲であり、ＬＦＬは１０〜３０ｍｍの範囲であり、ＷＦＬは３〜１５ｍｍの範囲である。なお、屈曲式カメラの異なる部分（セクション）の幅は、互いに異なっていてもよいし、ＷＦＬとも異なっていてもよい。これらのカメラの高さ、長さ、および幅の寸法は、図に示されていなくても、以下に開示される実施形態にも当てはまる。
【００５２】
カメラ５００は、カメラ１００の構成要素と同様または同一のそれぞれの機能を有する他の構成要素を含むことができる。したがって、これらの構成要素およびそれらのそれぞれの機能については、詳細には説明しない。さらに、カメラ５００は、２つのＢＦＬ部、または分割ＢＦＬ部を含むことができる。カメラ１００とは異なり、カメラ５００のＢＦＬ部５０６は、レンズ部ＨＬの高さおよびＯＰＦＥ（例えばプリズム）部ＨＰの高さよりも低い高さＨＢＦＬを有する。例えば、ＨＢＦＬは、ＨＬよりも０．０５〜３ｍｍ小さくてもよい。高さの減少は、「肩部」５０８で表される。いくつかの例では、ＨＬおよびＨＰは実質的に等しくてもよい（５％までの差異）。他の例では、ＨＬがＨＰよりも小さくてもよい。いくつかの実施形態では、カメラ５００は、レンズ部高さＨＬよりも大きいレンズ部幅ＷＬを有してよい。いくつかの実施形態では、ＷＬはＨＬに等しくてもよい。いくつかの実施形態では、レンズ部に収容されるレンズが放射対称の形状を有してもよい（例えば、円筒形状）。いくつかの実施形態では、レンズ部に収容されるレンズが放射対称の形状を有していなくてもよい（例えば、長方形、面取りを有する円筒など）。
【００５３】
図６Ａ〜６Ｃに示されるように、カメラ５００は、垂直カメラ２０４と共にデュアルカメラ６００内に含まれてよい。デュアルカメラの場合、２つのカメラのそれぞれを「サブカメラ」と呼ぶことができる。いくつかの例では、垂直カメラは、第１の方向１１０に平行な光軸１１０’を有してよい。光軸１１０’と第１の方向１１０との間の距離は、屈曲式デュアルカメラ６００のベースラインとして定義される。いくつかの例では、デュアルカメラ６００の長さＬＤＣおよび幅ＷＤＣがデュアルカメラ２００と同様のままである。しかしながら、デュアルカメラ６００は、屈曲式カメラのＢＦＬ部分５０６において、より低い高さＨＢＦＬを有する。このため、スマートフォン７００等のモバイル機器にデュアルカメラ６００を組み込んだ場合、ＢＦＬ部の高さを低くすることで、バンプ長を短くすることができる。
【００５４】
図７Ａは、スマートフォン７００に含まれる図６Ａ〜６Ｃのデュアル屈曲式垂直カメラの斜視図である。図７Ｂは、デュアル屈曲式垂直カメラおよびスマートフォンの拡大詳細断面図を示す。スマートフォン７００は、表面６０２上に突出するバンプ６０４を有する。バンプ６０４は、長さＬＢ２および高さＨＢ２を有する。ＬＢ２は、ＬＤＣよりも、ほぼＢＦＬ部分５０６の長さだけ短い。この例では、突出して見えるデュアルカメラ構成要素が垂直カメラのレンズの頂部およびＯＰＦＥの頂部のみを含む。いくつかの例では、屈曲式カメラのレンズ部も可視であってもよい。概して、バンプは、垂直カメラの高さおよび屈曲式カメラの項の高さがＨｐｈｏｎｅ．よりも大きいカメラの領域においてのみ必要とされうる。
【００５５】
ここで図５Ａ〜５Ｃに戻る。ＢＦＬ部における高さが減少することにより、屈曲式カメラの第２の方向１１２は、ＢＦＬ部底面５１２よりも上面５１０に近づき、レンズを出る光線のＢＦＬ部への伝播に非対称性を生じさせる。この非対称性によって、通常は基板５１６上に搭載されるイメージセンサ５１４が、ＢＦＬ部および基板自体の上側および下側に対してＹ方向に非対称的に配置される。
【００５６】
図８Ａは、＋Ｚ方向（第２の方向１１２に沿って）に見た、周知の画像センサ５１４および基板５１６を示す。センサ５１４は、例えば、画像／光感知に関して「非アクティブ」と考えられ、したがって非アクティブ部８０４と呼ばれる部分（補助シリコンロジック（ａｕｘｉｌｉａｒｙ  ｓｉｌｉｃｏｎ  ｌｏｇｉｃ））８０４によって囲まれた光学的にアクティブな部分８０２（以下、アクティブ部８０２と呼ぶ）を有するシリコンダイ（ａ  ｓｉｌｉｃｏｎ  ｄｉｅ）である。アクティブ部８０２は、当技術分野で知られているように、非アクティブ部８０４内の任意の位置に対称的または非対称的に配置することができる。アクティブ部８０２は、基板５１６の頂部および底部から（すなわち、図示のＹ方向に）、それぞれＤＴＯＰおよびＤＢＯＴとしてマークされた距離だけ離れている。図８（ａ）において、ＤＴＯＰ＝ＤＢＯＴ±Δで示され、Δは、典型的には０〜２００μｍである。これはカメラ１００のような周知の屈曲式カメラにおけるセンサ基板に係る構成であり、アクティブ部８０２は典型的には基板５１６に対して対称的に又はわずかに非対称的に配置される（「わずかに」とは、高さ（４〜６ｍｍ）のうちから２００μｍまで、又はＰＣＢ高さの約０〜５％を指す）。
【００５７】
図８Ｂは、本明細書に開示される実施形態による、イメージセンサ５１４および基板５１６の構成８００を示す。構成８００では、アクティブ部８０２は、Ｙ方向において基板５１６に対して非対称に配置され、また、Δは、１００〜１５００μｍのオーダーであってもよい。この場合、基板５１６に対するアクティブ部８０２の非対称性は１００μｍのオーダーであり、１〜１．５ｍｍまで、またはＰＣＢ高さの約５％〜３０％でありうる。
【００５８】
非対称性は、センサの有効光線包絡線（ｅｆｆｅｃｔｉｖｅ  ｒａｙ  ｅｎｖｅｌｏｐｅ）により近い表面をもたらし、センサに迷光効果を引き起こす可能性がある。例えば、カメラ５００では、上面５１０は、より低く、かつ、レンズ部５０４の上面よりもセンサに近い。これにより、入射する光が、上面５１０から跳ね返り、センサに戻るように方向転換される。このような影響を軽減するために、ＢＦＬ部５０６の上面５１０の内面５１８は、迷光を防止するように構成される。これは、例えば、特別な構造および／または反射防止コーティングを有するヨークによって提供されてもよい。あるいはＢＦＬ部５０６の底部５１２の表面５２０、または上下表面５１８および５２０の両方は迷光を防止するように構成される。特定の実施形態では、内面５１８は、不均一であり、及び／又は、様々な隆起部を有する。その結果、内面５１８は、平坦ではない。図９Ｂは、光を吸収または光を他の方向に再配光するための方法を示す。
【００５９】
図９Ａ〜図９Ｃは、本明細書に開示される他の例示的な実施形態による、９００と番号付けされた屈曲式カメラ構造の様々な図である。カメラ５００と同様に、カメラ９００は、ＯＰＦＥ部、レンズ部９０４、及び後方焦点距離（ＢＦＬ）部９０６を含む。屈曲式カメラおよび異なるセクションの寸法は、カメラ１００および５００と同じ範囲であってもよい。カメラ９００は、カメラ５００の構成要素と同様または同一のそれぞれの機能を有する他の構成要素を含んでよい。したがって、これらの構成要素およびそれらのそれぞれの機能については、詳細には説明しない。さらに、カメラ９００は、２つのＢＦＬ部または分割ＢＦＬ部を含んでよい。カメラ５００とは異なり、カメラ９００のレンズ部９０４は、ＨＬおよびＨＬ１とマークされた２つの異なる高さを有する２つの異なるサブセクション９０４ａおよび９０４ｂを有する。レンズサブセクション９０４ａの高さＨＬはサブセクション９０４ｂの高さＨＬ１よりも高く、後続（イメージセンサの方向）のレンズエレメント（例えば、より小さい直径Ｄ１を有する）の直径よりも大きい直径Ｄを有する少なくとも１つのレンズエレメント９２０を収容する。例えば、ＨＬ１は、ＨＬよりも０〜３ｍｍだけ小さくてよい。
【００６０】
図９Ａ〜９Ｃの例示的な実施形態は、２つの異なるサブセクションに関連する２つの異なる高さを有するレンズ部を示すが、レンズ部は異なる高さを有する３つ以上のサブセクションを有してもよい。例えば、レンズがＮ個のレンズ素子（典型的にはＮは１と６との間である）を含む場合、レンズ部は１とＮとの間のサブセクションを含みうる。Ｎ個のサブセクションは、同じ高さまたは異なる高さＨＬＮを有しうる。様々なレンズサブセクション高さＨＬＮを有するいくつかの実施形態では、その高さは、ＯＰＦＥ（プリズム）部に近いサブセクションからＢＦＬ部に近いサブセクションまで段階的に減少しうる。
【００６１】
図１０Ａ〜１０Ｃに示されるように、カメラ９００は、垂直カメラ２０４と共にデュアルカメラ１０００に含まれうる。いくつかの例では、デュアルカメラ１０００の長さＬＤＣおよび幅ＷＤＣはデュアルカメラ６００と同様のままである。しかしながら、デュアルカメラ１０００は、屈曲式カメラのＢＦＬ部９０６だけでなく、レンズ部のサブセクション９０４ｂにおいても、より低い高さを有する。したがって、デュアルカメラ１０００をスマートフォンなどのモバイル機器に組み込む場合、ＢＦＬ部の高さＨＢＦＬとサブセクション部９０４ｂの高さＨＬ２を低くすることで、より短いバンプ長ＬＢ３が可能となる。
【００６２】
図１１Ａは、スマートフォン１００２に含まれる図１０Ａ〜１０Ｃのデュアル屈曲式垂直カメラの斜視図である。図１１Ｂは、デュアル屈曲式垂直カメラおよびスマートフォンの拡大詳細断面図を示す。スマートフォン１１００は、表面１１０２上に突出するバンプ１１０４を有する。バンプ１１０４は、長さＬＢ３および高さＨＢ２を有する。明確にするため、スマートフォン１１００では、ＬＢ３は、レンズサブセクション９０４ｂの長さだけ図７のＬＢ２よりも短く、かつ、ＢＦＬ部のおおよその長さにレンズサブセクション９０４ｂの長さを加えた長さだけ、ＬＦＬよりも短い。本図および図７Ｂにおける「ＨＢ２」によるバンプ高さのマーク付けは、バンプ６０４および１１０４が同じ高さを有することを必ずしも意味しない。この例では、突出し、かつ視認できるデュアルカメラ構成要素が、垂直カメラのレンズの頂部と、屈曲式カメラのＯＰＦＥおよびレンズサブセクション９０４ａの頂部のみを含む。概して、バンプは、垂直カメラの高さおよび屈曲式カメラの一部分の高さがＨｐｈｏｎｅよりも大きいカメラの領域においてのみ必要とされうる。
【００６３】
カメラ５００は、フラッシュ付きの屈曲式カメラ（「フラッシュ屈曲式カメラ」）を得るために、フラッシュ（例えば、ＬＥＤ）素子を備えることができる。図１２Ａは斜視図を示し、図１２Ｂは、フラッシュ屈曲式カメラ１２００の側面図を示す。フラッシュ素子１２０４は、当技術分野で知られているように、撮影されたシーンに必要とされる外部照明源を提供することができる。カメラ５００のＢＦＬ（ＨＢＦＬ）高さの低減は、フラッシュ素子１２０４を収容するために使用されてもよく、すなわち、フラッシュ素子１２０４は、上面５１０の上に配置されてもよい。図１２Ｂに示すように、カメラ５００の底部からフラッシュ素子１２０４の頂部までの合計高さは、ＨＦＬＡＳＨで示されている。場合によっては、図１２Ｂに示すように、ＨＦＬＡＳＨは、カメラ５００の高さ（ＨＦＬ）よりも小さいか、または等しくてもよい。
【００６４】
屈曲式カメラ１２００は、デュアルカメラを形成するために垂直カメラ２０４と共に含まれてもよい。図１３Ａ〜１３Ｂは、そのようなデュアルカメラの２つの実施形態を示す。図１３Ａにおいて、デュアルカメラ１３０２は、ＯＰＦＥ部５０２側に向かう光軸（＋Ｚ方向）上のフラッシュ屈曲式カメラ１２００の隣に配置された垂直カメラ２０４を含む。図１３Ｂでは、デュアルカメラ１３０４は、ＢＦＬ部５０６側により近い光軸上でカメラ１２００に沿って配置された垂直カメラ２０４を含む。デュアルカメラ１３０４では、フラッシュ素子１２０４がカメラ２０４の光学開口とカメラ５００の光学開口との間に配置される。
【００６５】
図１４Ａ〜図１４Ｃに示す他のデュアルカメラの実施形態では、カメラ９００などのカメラに、ＢＦＬ部９０６（図１４Ａ）の上部、レンズサブセクション９０４（図１４Ｂ）の上部、又は、これらのセクションの両方の上部（図１４Ｃ）（いくつかの実施形態では各部の部分的な上部）に配置することが可能なフラッシュ素子１２０４などのフラッシュ素子を設けることもできる。これらの全ての場合において、ＨＦＬＡＳＨは、カメラ９００の底部からフラッシュ素子１２０４の頂部までの合計高さを示す。ＨＦＬＡＳＨは、カメラ高さＨＦＬよりも低いか同じ高さであってよい。つまり、フラッシュ素子を付加しても、屈曲式カメラの最大高さよりも上に突起が生じることはない。カメラ１４００、１４０２、または１４０４は、デュアルカメラ（不図示）を形成するために垂直カメラと組み合わせることができる。
【００６６】
図１５Ａおよび図１５Ｂに示す１５００の番号を付したさらに別のデュアルカメラの実施形態では、カメラ９００は、垂直カメラ２０４およびフラッシュ素子１２０４と組み合わされている。これにより、フラッシュ素子は、カメラ９００の部分的に上方およびカメラ２０４の部分的に上方に配置される。
【００６７】
本開示は特定の実施形態および一般的に関連する方法に関して説明されてきたが、実施形態および方法の変更および置換は当業者には明らかであろう。本開示は、本明細書に記載される特定の実施形態によって限定されるものではなく、添付の特許請求の範囲によってのみ限定されるものと理解されるべきである。
（関連出願の相互参照）
本出願は、共に本出願と同じ名称を有する、２０１７年１１月２３日に出願された米国仮特許出願第６２／５９０，３２４号、及び２０１８年１月１７日に出願された米国仮特許出願第６２／６１８，３０４号に対する優先権を主張する。両方の出願の内容は、その全体が参照により本明細書に組み込まれる。
【図１Ａ】
0006806919.tif 000002
【図１Ｂ】
0006806919.tif 000003
【図１Ｃ】
0006806919.tif 000004
【図２Ａ】
0006806919.tif 000005
【図２Ｂ】
0006806919.tif 000006
【図２Ｃ】
0006806919.tif 000007
【図３Ａ】
0006806919.tif 000008
【図３Ｂ】
0006806919.tif 000009
【図４Ａ】
0006806919.tif 000010
【図４Ｂ】
0006806919.tif 000011
【図５Ａ】
0006806919.tif 000012
【図５Ｂ】
0006806919.tif 000013
【図５Ｃ】
0006806919.tif 000014
【図６Ａ】
0006806919.tif 000015
【図６Ｂ】
0006806919.tif 000016
【図６Ｃ】
0006806919.tif 000017
【図７Ａ】
0006806919.tif 000018
【図７Ｂ】
0006806919.tif 000019
【図８Ａ】
0006806919.tif 000020
【図８Ｂ】
0006806919.tif 000021
【図９Ａ】
0006806919.tif 000022
【図９Ｂ】
0006806919.tif 000023
【図９Ｃ】
0006806919.tif 000024
【図１０Ａ】
0006806919.tif 000025
【図１０Ｂ】
0006806919.tif 000026
【図１０Ｃ】
0006806919.tif 000027
【図１１Ａ】
0006806919.tif 000028
【図１１Ｂ】
0006806919.tif 000029
【図１２Ａ】
0006806919.tif 000030
【図１２Ｂ】
0006806919.tif 000031
【図１３Ａ】
0006806919.tif 000032
【図１３Ｂ】
0006806919.tif 000033
【図１４Ａ】
0006806919.tif 000034
【図１４Ｂ】
0006806919.tif 000035
【図１４Ｃ】
0006806919.tif 000036
【図１５Ａ】
0006806919.tif 000037
【図１５Ｂ】
0006806919.tif 000038